(57)【特許請求の範囲】
【請求項１】
セル動作のための方法であって、
協調集合内のセルのリソース要素利用情報を通信機器に送信することであって、前記リソース要素利用情報は、複数のリソース要素の中のリソース要素の部分集合に対する利用情報を含み、前記リソース要素の部分集合は、前記協調集合内の少なくとも１つの他のセルの他のリソース要素に対応し、前記他のリソース要素は、指定された信号を搬送しており、前記指定された信号を搬送している前記他のリソース要素に対応する前記リソース要素の部分集合は、データシンボルを搬送するために使用されるか又はデータシンボル及びヌルシンボルを搬送するために使用される、前記送信することと、
前記協調集合内のセルによって、前記リソース要素利用情報に基づいて、前記通信機器を対象にするシンボルを前記複数のリソース要素にマッピングすることと、
を含む、セル動作の方法。
【請求項２】
前記指定された信号は、セル固有基準信号、物理ブロードキャストチャネル、同期チャネル、又はこれらの組み合わせを含む、
請求項１に記載の方法。
【請求項３】
前記リソース要素利用情報を送信することは、前記リソース要素利用情報の指示を送信することを含む、
請求項１又は２に記載の方法。
【請求項４】
前記指示は、前記リソース要素の部分集合が、データシンボル、前記複数のリソース要素の中に有るが前記リソース要素の部分集合の中には無いリソース要素にマッピングされたデータシンボルに関連付けられたプレコーディング情報とは異なるプレコーディング情報を用いるデータシンボル、前記セルによって使用された第２の基準信号とは異なる第１の基準信号に基づくデータシンボル、又はこれらの組み合わせを搬送すること、又はデータシンボル及びヌルシンボルを搬送することを示す情報を含む、
請求項３に記載の方法。
【請求項５】
前記指示は、メッセージの中のフィールドを含み、前記フィールドは、前記リソース要素利用情報又は前記リソース要素利用情報の表現を収容する、
請求項３に記載の方法。
【請求項６】
前記フィールドは、新たに定義されたフィールド、予め定義されたフィールド、少なくとも１つの予め定義されたフィールドの一部分、又はこれらの組み合わせを含む、
請求項５に記載の方法。
【請求項７】
前記指示は、予め定義された情報の集合を含む、
請求項３に記載の方法。
【請求項８】
前記予め定義された情報の集合は、送信モードの集合、ＣｏＭＰモードの集合、又はこれらの組み合わせを含む、
請求項７に記載の方法。
【請求項９】
前記指示を送信することは、物理層チャネルで前記指示を送信することを含む、
請求項３に記載の方法。
【請求項１０】
前記物理層チャネルは、物理ダウンリンク制御チャネル、中継物理ダウンリンク制御チャネル、又はこれらの組み合わせを含む、
請求項９に記載の方法。
【請求項１１】
前記指示を送信することは、上位層メッセージで前記指示を送信することを含む、
請求項３に記載の方法。
【請求項１２】
前記上位層メッセージは、無線リソース制御メッセージを含む、
請求項１１に記載の方法。
【請求項１３】
前記シンボルは、データシンボル、基準信号、前記複数のリソース要素の中に有るが前記リソース要素の部分集合の中には無いリソース要素にマッピングされたデータシンボルに関連付けられたプレコーディング情報とは異なるプレコーディング情報を用いるデータシンボル、ヌルシンボル、又はこれらの組み合わせを含む、
請求項１〜１２のいずれか1項に記載の方法。
【請求項１４】
更に、前記協調集合内の他のセルにより送信されるデータストリームとは異なるデータストリームを前記協調集合内のセルにより前記通信機器に送信することを含む、
請求項１〜１３のいずれか１項に記載の方法。
【請求項１５】
リソース要素利用情報を生成するよう構成されている情報ジェネレータであって、前記リソース要素利用情報は、複数のリソース要素の中のリソース要素の部分集合に対する利用情報を含み、前記リソース要素の部分集合は、協調集合内の少なくとも１つの他のセルの他のリソース要素に対応し、前記他のリソース要素は、指定された信号を搬送しており、前記指定された信号を搬送している前記他のリソース要素に対応する前記リソース要素の部分集合は、データシンボルを搬送するために使用されるか又はデータシンボル及びヌルシンボルを搬送するために使用される、前記情報ジェネレータと、
前記情報ジェネレータに連結され、前記リソース要素利用情報に基づいて、通信機器を対象にするシンボルを前記複数のリソース要素にマッピングするよう構成されているマッパーと、
前記情報ジェネレータ及び前記マッパーに連結され、前記リソース要素利用情報を前記通信機器に送信するよう構成されているトランスミッタと、
を含む、協調セル内のセルで動作する装置。
【請求項１６】
前記情報ジェネレータに連結され、前記リソース要素利用情報に対する指示を生成するよう構成されている指示ジェネレータを更に含む、
請求項１５に記載の装置。
【請求項１７】
前記指示は、予め定義された情報の集合を含む、
請求項１６に記載の装置。
【請求項１８】
前記予め定義された情報の集合は、送信モードの集合、ＣｏＭＰモードの集合、又はこれらの組み合わせを含む、
請求項１７に記載の装置。
【請求項１９】
前記指示は、メッセージの中のフィールドを含み、前記フィールドは、前記リソース要素利用情報又は前記リソース要素利用情報の表現を収容する、
請求項１６に記載の装置。
【請求項２０】
前記フィールドは、新たに定義されたフィールド、予め定義されたフィールド、少なくとも１つの予め定義されたフィールドの一部分、又はこれらの組み合わせを含む、
請求項１９に記載の装置。
【請求項２１】
前記トランスミッタは、物理層チャネルで前記リソース要素利用情報を送信する、
請求項１５〜２０のいずれか１項に記載の装置。
【請求項２２】
前記物理層チャネルは、物理ダウンリンク制御チャネル、中継物理ダウンリンク制御チャネル、又はこれらの組み合わせを含む、
請求項２１に記載の装置。
【請求項２３】
前記トランスミッタは、上位層メッセージで前記リソース要素利用情報を送信する、
請求項１５〜２０のいずれか１項に記載の装置。
【請求項２４】
前記上位層メッセージは、無線リソース制御メッセージを含む、
請求項２３に記載の装置。
【請求項２５】
前記リソース要素利用情報は、前記リソース要素の部分集合が、データシンボル、前記複数のリソース要素の中に有るが前記リソース要素の部分集合の中には無いリソース要素にマッピングされたデータシンボルに関連付けられたプレコーディング情報とは異なるプレコーディング情報を用いるデータシンボル、前記セルによって使用された第２の基準信号とは異なる第１の基準信号に基づくデータシンボル、又はこれらの組み合わせを搬送する、又はデータシンボル及びヌルシンボルを搬送するという情報を含む、
請求項１５〜２４のいずれか１項に記載の装置。
【請求項２６】
前記トランスミッタは、更に、前記協調集合内の他のセルにより送信されるデータストリームとは異なるデータストリームを前記協調集合内のセルにより前記通信機器に送信するよう構成される、
請求項１５〜２５のいずれか１項に記載の装置。
【請求項２７】
通信機器動作の方法であって、
協調集合内のセルに対するリソース要素利用情報を受信することであって、前記リソース要素利用情報は、複数のリソース要素の中のリソース要素の部分集合に対する利用情報を含み、前記リソース要素の部分集合は、協調集合内の少なくとも１つの他のセルの他のリソース要素に対応し、前記他のリソース要素は、指定された信号を搬送しており、前記指定された信号を搬送している前記他のリソース要素に対応する前記リソース要素の部分集合は、データシンボルを搬送するために使用されるか又はデータシンボル及びヌルシンボルを搬送するために使用される、前記リソース要素利用情報を受信することと、
信号を受信することと、
前記リソース要素利用情報に基づいて、前記信号を復号化することと、
を含む、通信機器動作の方法。
【請求項２８】
前記リソース要素利用情報は、前記リソース要素の部分集合が、データシンボル、前記複数のリソース要素の中に有るが前記リソース要素の部分集合の中には無いリソース要素にマッピングされたデータシンボルに関連付けられたプレコーディング情報とは異なるプレコーディング情報を用いるデータシンボル、前記セルによって使用された第２の基準信号とは異なる第１の基準信号に基づくデータシンボル、又はこれらの組み合わせを搬送する、又はデータシンボル及びヌルシンボルを搬送するという情報を含み、
前記信号を復号化することは、前記リソース要素の部分集合によって搬送された信号を復号化しないことを含む、
請求項２７に記載の方法。
【請求項２９】
前記リソース要素利用情報は、前記リソース要素の部分集合が、データシンボル、前記複数のリソース要素の中に有るが前記リソース要素の部分集合の中には無いリソース要素にマッピングされたデータシンボルに関連付けられたプレコーディング情報とは異なるプレコーディング情報を用いるデータシンボル、前記セルによって使用された第２の基準信号とは異なる第１の基準信号に基づくデータシンボル、又はこれらの組み合わせを搬送する、又はデータシンボル及びヌルシンボルを搬送するという情報を含み、
前記信号を復号化することは、前記リソース要素の部分集合によって搬送された信号を復号化することを含む、
請求項２７に記載の方法。
【請求項３０】
前記リソース要素利用情報を受信することは、前記リソース要素利用情報の指示を受信することを含む、
請求項２７〜２９のいずれか１項に記載の方法。
【請求項３１】
前記指示は、メッセージの中のフィールドを含み、前記フィールドは、前記リソース要素利用情報又は前記リソース要素利用情報の表現を収容する、
請求項３０に記載の方法。
【請求項３２】
前記フィールドは、新たに定義されたフィールド、予め定義されたフィールド、少なくとも１つの予め定義されたフィールドの一部分、又はこれらの組み合わせを含む、
請求項３１に記載の方法。
【請求項３３】
前記指示は、予め定義された情報の集合を含む、
請求項３０に記載の方法。
【請求項３４】
前記予め定義された情報の集合は、送信モードの集合、ＣｏＭＰモードの集合、又はこれらの組み合わせを含む、
請求項３３に記載の方法。
【請求項３５】
前記リソース要素利用情報を受信することは、物理層チャネルで前記リソ−ス要素利用情報を受信することを含む、
請求項２７〜３４のいずれか１項に記載の方法。
【請求項３６】
前記物理層チャネルは、物理ダウンリンク制御チャネル、中継物理ダウンリンク制御チャネル、又はこれらの組み合わせを含む、
請求項３５に記載の方法。
【請求項３７】
前記リソース要素利用情報を受信することは、上位層メッセージで前記リソース要素利用情報を受信することを含む、
請求項２７〜３４のいずれか１項に記載の方法。
【請求項３８】
前記上位層メッセージは、無線リソース制御メッセージを含む、
請求項３７に記載の方法。
【請求項３９】
更に、前記協調集合内の他のセルにより送信されるデータストリームとは異なる前記協調集合内のセルにより送信されるデータストリームを受信することを含む、
請求項２７〜３８のいずれか１項に記載の方法。
【請求項４０】
協調集合内のセルに対するリソース要素利用情報を受信し、信号を受信するよう構成されているレシーバであって、前記リソース要素利用情報は、複数のリソース要素の中のリソース要素の部分集合に対する利用情報を含み、前記リソース要素の部分集合は、協調集合内の少なくとも１つの他のセルの他のリソース要素に対応し、前記他のリソース要素は、指定された信号を搬送しており、前記指定された信号を搬送している前記他のリソース要素に対応する前記リソース要素の部分集合は、データシンボルを搬送するために使用されるか又はデータシンボル及びヌルシンボルを搬送するために使用される、前記レシーバと、
前記レシーバに連結され、前記複数のリソース要素に関する情報を抽出するために前記リソース要素利用情報を処理するよう構成されている情報プロセッサと、
前記レシーバ及び前記情報プロセッサに連結され、前記リソース要素利用情報に基づいて、前記受信した信号を復号化するよう構成されているデコーダと、
を含む、通信機器。
【請求項４１】
前記リソース要素利用情報は、前記リソース要素の部分集合が、データシンボル、前記複数のリソース要素の中に有るが前記リソース要素の部分集合の中には無いリソース要素にマッピングされたデータシンボルに関連付けられたプレコーディング情報とは異なるプレコーディング情報を用いるデータシンボル、前記セルによって使用された第２の基準信号とは異なる第１の基準信号に基づくデータシンボル、又はこれらの組み合わせを搬送する、又はデータシンボル及びヌルシンボルを搬送するという情報を含み、
前記デコーダは、前記リソース要素の部分集合によって搬送された信号を復号化しない、
請求項４０に記載の通信機器。
【請求項４２】
前記リソース要素利用情報は、リソース要素の前記部分集合が、データシンボル、前記複数のリソース要素の中に有るが前記リソース要素の部分集合の中には無いリソース要素にマッピングされたデータシンボルに関連付けられたプレコーディング情報とは異なるプレコーディング情報を用いるデータシンボル、前記セルによって使用された第２の基準信号とは異なる第１の基準信号に基づくデータシンボル、又はこれらの組み合わせを搬送する、又はデータシンボル及びヌルシンボルを搬送するという情報を含み、
前記デコーダは、前記リソース要素の部分集合によって搬送された信号を復号化する、
請求項４０に記載の通信機器。
【請求項４３】
前記レシーバは、物理層チャネルを介して前記リソース要素利用情報を受信する、
請求項４０〜４２のいずれか１項に記載の通信機器。
【請求項４４】
前記レシーバは、上位層メッセージを介して前記リソース要素利用情報を受信する、
請求項４０〜４２のいずれか１項に記載の通信機器。
【請求項４５】
前記レシーバは、更に、前記協調集合内の他のセルにより送信されるデータストリームとは異なる前記協調集合内のセルにより送信されるデータストリームを受信するよう構成される、
請求項４０〜４４のいずれか１項に記載の通信機器。
【発明の詳細な説明】
【技術分野】
【０００１】
本発明は、概して、デジタル通信、より詳しくは、データシンボルをマッピングするシステム及び方法に関する。
【背景技術】
【０００２】
概して、多地点協調送受信（cooperative multi-point transmission and reception）（ＣｏＭＰ）は、第３世代パートナーシッププロジェクト（３ＧＰＰ）ロング・ターム・エボリューション（ＬＴＥ）アドバンストにおいて、高データ・レート・カバレッジ、セル・エッジ・スループットを改善し、及び／又は、高通信システム負荷及び低通信システム負荷の両方のシナリオにおいて通信システムスループットを増加させるツールであると考えられる。
【０００３】
移動局、加入者、端末、ユーザ等と一般に称されることもあるユーザ機器（User Equipment）（ＵＥ）が、ＮｏｄｅＢ、基地局、通信コントローラ、コントローラ等と一般に称されることもあるエンハンスドＮｏｄｅＢ（ｅＮＢ）に送信するアップリンク（ＵＬ）方向では、ＵＬ多地点協調受信は、複数の地理的に離れた地点でのＵＥの送信信号の受信を意味する。
【０００４】
ｅＮＢがＵＥに送信するダウンリンク（ＤＬ）方向では、ＤＬ多地点協調送信は、複数の地理的に離れた送信地点の間の協調を暗示する。ＤＬ協調送信スキームの実施例は、単一のＵＥへの送信は、送信地点のうちの１つから送信され、スケジューリング決定は、例えば、協調セルの集合において発生した干渉を制御するために協調される協調ビームフォーミングを含む。
【０００５】
ジョイント送信（joint transmission）（ＪＴ）及び動的セル選択（dynamic cell selection）（ＤＣＳ）を含み得るジョイント処理は、より進化した干渉軽減能力を備える協調送信スキームの別の実施例である。ジョイント送信は、例えば、（コヒーレント又は非コヒーレントに）受信信号品質を改善するために、及び／又は、他のＵＥからの干渉を積極的に打ち消すために、複数の送信地点から単一のＵＥへの同時送信を伴う。ＤＣＳは、ＵＥとのＣｏＭＰ協調に関与する１つ以上のセルの集合であるＣｏＭＰ協調集合内で同時に１つの送信元地点での送信を伴う。
【０００６】
ＤＬ多地点協調送信は、異なるセル間で協調する可能性を含む。無線干渉の観点からは、セルが同じｅＮＢ又は異なるｅＮＢに属しているかどうかは、ＵＥの観点では違いはないことがある。ｅＮＢ間協調がサポートされる場合、情報は、ｅｎＢ間インターフェース（例えば、Ｘ２インターフェース）等を介して、ｅＮＢの間で知らされる必要がある。
【０００７】
複数のＵＥ（又は他の宛先）への送信が同じネットワークリソース（例えば、時間ドメイン及び／又は周波数ドメイン・ネットワークリソース）を共有するマルチユーザ（ＭＵ）マルチ入力マルチ出力（ＭＩＭＯ）は、空間ドメインにおいて区別され得る。通常は、ＭＵ−ＭＩＭＯに関与するＵＥ各々の送信をスケジュールするために、制御チャネルが必要とされる。ＭＵ−ＭＩＭＯに関与するＵＥは、ＵＥペア又はＵＥグループとして本明細書において称されることがある。
【０００８】
異種ネットワーク（heterogeneous network）（ＨＥＴＮＥＴ）は、高加入者密度エリア又は低カバレッジエリアにおける性能の改善を支援するために、典型的に、サービスプロバイダによって計画型ネットワークとして配備されるマクロセルのようなフル電力セル、並びに、サービスプロバイダ及び／又は加入者によって配備され得るピコセル、フェムトセル等のような低電力ノード（low power nodes）（ＬＰＮ）から作られている通信システムとして説明され得る。
【発明の概要】
【発明が解決しようとする課題】
【０００９】
データシンボルをマッピングするシステム及び方法を提供する本発明の実施形態例により、上述及びその他の課題が概して解決又は回避され、技術的利点が概して達成される。
【課題を解決するための手段】
【００１０】
本発明の実施形態例において、セル動作の方法が提供される。この方法は、リソース要素利用情報を通信機器に送信することと、通信機器を対象にするシンボルを複数のリソース要素にマッピングすることとを含む。リソース要素利用情報は、複数のリソース要素の中のリソース要素の部分集合に対する利用情報を更に含み、リソース要素の部分集合は、協調集合内の少なくとも１つの他のセルの他のリソース要素に対応し、該他のリソース要素は、指定された信号を搬送している。マッピングは、リソース要素利用に基づき、マッピングは、協調集合内の少なくとも１つのセルによって実行される。
【００１１】
本発明の別の実施形態例によれば、セルが提供される。セルは、情報ジェネレータと、情報ジェネレータに連結されているマッパーと、情報ジェネレータ及びマッパーに連結されているトランスミッタとを含む。情報ジェネレータは、リソース要素利用情報を生成し、このリソース要素利用情報は、複数のリソース要素の中のリソース要素の部分集合に対する利用情報を含み、このリソース要素の部分集合は、協調集合内の少なくとも１つの他のセルの他のリソース要素に対応し、該他のリソース要素は、指定された信号を搬送している。マッパーは、通信機器を対象にするシンボルを複数のリソース要素にマッピングし、マッパーは、リソース要素利用情報に基づいてシンボルをマッピングし、マッピングは、協調集合の一部であるセルによって実行される。トランスミッタは、リソース要素利用情報を通信機器に送信する。
【００１２】
本発明の別の実施形態例によれば、通信機器動作の方法が提供される。この方法は、協調集合内のセルに対するリソース要素利用情報を受信することと、信号を受信することと、リソース要素利用情報に基づいて信号を復号化することとを含む。リソース要素利用情報は、複数のリソース要素の中のリソース要素の部分集合に対する利用情報を含み、リソース要素の部分集合は、協調集合内の少なくとも１つの他のセルの他のリソース要素に対応し、該他のリソース要素は、指定された信号を搬送している。
【００１３】
本発明の別の実施形態例によれば、通信機器が提供される。通信機器は、レシーバと、レシーバに連結されている情報プロセッサと、レシーバ及び情報プロセッサに連結されているデコーダとを含む。レシーバは、協調集合内のセルに対するリソース要素利用情報を受信し、信号を受信する。リソース要素利用情報は、複数のリソース要素の中のリソース要素の部分集合に対する利用情報を含み、リソース要素の部分集合は、協調集合内の少なくとも１つの他のセルの他のリソース要素に対応し、該他のリソース要素は、指定された信号を搬送している。情報プロセッサは、複数のリソース要素に関する情報を抽出するためにリソース要素利用情報を処理し、デコーダは、指示に含まれる情報に基づいて、受信信号を復号化する。
【発明の効果】
【００１４】
本明細書において開示された１つの利点は、セル固有基準信号を搬送するために典型的に使用されるが、ＣｏＭＰジョイント送信、ＣｏＭＰジョイント処理等のようなＣｏＭＰ動作において使用されないリソース要素が、データシンボルを搬送するために使用され得る。これにより、オーバーヘッドが軽減され、全体的な通信システム性能が高められる。
【００１５】
典型的な実施形態の更なる利点は、データシンボルを搬送するためにどのリソース要素が使用されるかについての指示がＵＥに動的に知らされ得るので、スケジューリング変更がＵＥに直ちに伝えられ、これにより、オーバーヘッドが軽減し、通信システム性能が高まることである。
【００１６】
以上は、以下の実施形態の詳細な説明がより良く理解されるように本発明の特徴及び技術的利点をかなり大まかに概説している。発明の特許請求の範囲の主題を形成する実施形態の更なる特徴及び利点が以下に記載される。開示された概念及び具体的な実施形態が本発明の同じ目的を実施するため他の構造又はプロセスを変更又は設計する基礎として容易に利用されてもよいことは当業者によって認められるべきである。このような等価的な構成が添付の請求項に記載されているような発明の趣旨及び範囲から逸脱しないことは当業者によって更に理解されるべきである。
【図面の簡単な説明】
【００１７】
本発明と本発明の利点とのより完全な理解のため、ここで、添付図面と併せて以下の説明を参照する。
【００１８】
【図１ａ】図１ａは、Ｔｙｐｅ１フレーム構造例を示した図である。
【図１ｂ】図１ｂは、Ｔｙｐｅ２フレーム構造例を示した図である。
【図２】図２は、本明細書に記載された実施形態例による３ＧＰＰ  ＬＴＥ準拠通信システムのためのＤＬ送信２００のフレーム構造例を示した図である。
【図３】図３は、本明細書に記載された実施形態例によるｅＮＢから中継ノード（ＲＮ）へのＤＬリンク３００送信のフレーム構造例を示した図である。
【図４ａ】図４ａは、本明細書に記載された実施形態例による通信機器間のＤＬ  ＣｏＭＰ送信が強調されている通信システム４００の例示部を示した図である。
【図４ｂ】図４ｂは、本明細書に記載された実施形態例による通信機器間のＵＬ  ＣｏＭＰ送信が強調されている通信システム４５０の例示部を示した図である。
【図５ａ】図５ａは、本明細書に記載された実施形態例による標準巡回プレフィックス（normal cyclic prefix）を用いた通信システムにおいて基準信号（reference signal）の送信のために使用されたリソース要素例を示した図である。
【図５ｂ】図５ｂは、本明細書に記載された実施形態例による標準巡回プレフィックスを用いた通信システムにおいて基準信号の送信のために使用されたリソース要素例を示した図である。
【図５ｃ】図５ｃは、本明細書に記載された実施形態例による標準巡回プレフィックスを用いた通信システムにおいて基準信号の送信のために使用されたリソース要素例を示した図である。
【図５ｄ】図５ｄは、本明細書に記載された実施形態例による標準巡回プレフィックスを用いた通信システムにおいて基準信号の送信のために使用されたリソース要素例を示した図である。
【図５ｅ】図５ｅは、本明細書に記載された実施形態例による標準巡回プレフィックスを用いた通信システムにおいて基準信号の送信のために使用されたリソース要素例を示した図である。
【図５ｆ】図５ｆは、本明細書に記載された実施形態例による標準巡回プレフィックスを用いた通信システムにおいて基準信号の送信のために使用されたリソース要素例を示した図である。
【図５ｇ】図５ｇは、本明細書に記載された実施形態例による標準巡回プレフィックスを用いた通信システムにおいて基準信号の送信のために使用されたリソース要素例を示した図である。
【図６ａ】図６ａは、本明細書に記載された実施形態例による拡張巡回プレフィックス（extended cyclic prefix）を用いた通信システムにおいて基準信号の送信のために使用されたリソース要素例を示した図である。
【図６ｂ】図６ｂは、本明細書に記載された実施形態例による拡張巡回プレフィックスを用いた通信システムにおいて基準信号の送信のために使用されたリソース要素例を示した図である。
【図６ｃ】図６ｃは、本明細書に記載された実施形態例による拡張巡回プレフィックスを用いた通信システムにおいて基準信号の送信のために使用されたリソース要素例を示した図である。
【図６ｄ】図６ｄは、本明細書に記載された実施形態例による拡張巡回プレフィックスを用いた通信システムにおいて基準信号の送信のために使用されたリソース要素例を示した図である。
【図６ｅ】図６ｅは、本明細書に記載された実施形態例による拡張巡回プレフィックスを用いた通信システムにおいて基準信号の送信のために使用されたリソース要素例を示した図である。
【図６ｆ】図６ｆは、本明細書に記載された実施形態例による拡張巡回プレフィックスを用いた通信システムにおいて基準信号の送信のために使用されたリソース要素例を示した図である。
【図６ｇ】図６ｇは、本明細書に記載された実施形態例による拡張巡回プレフィックスを用いた通信システムにおいて基準信号の送信のために使用されたリソース要素例を示した図である。
【図７】図７は、本明細書に記載された実施形態例によるターボ符号化トランスポートチャネルのための例示のレート・マッチング・ユニット７００を示した図である。
【図８】図８は、本明細書に記載された実施形態例による時間−周波数リソースの例示図８００を示した図である。
【図９ａ】図９ａは、本明細書に記載された実施形態例による１台以上の通信機器への送信における通信コントローラ動作９００の例示フローチャートを示した図である。
【図９ｂ】図９ｂは、本明細書に記載された実施形態例による１台以上の通信コントローラからの送信の受信における通信機器動作９５０の例示フローチャートを示した図である。
【図１０】図１０は、本明細書に記載された実施形態例による通信機器例を示した図である。
【図１１】図１１は、本明細書に記載された実施形態例による通信機器例を示した図である。
【発明を実施するための形態】
【００１９】
現在の実施形態例の実行及び使用は、以下に詳述される。しかし、本発明は、多種多様の具体的な状況で具現化される可能性がある多数の適用可能な発明概念を提供することが認められるべきである。記載された具体的な実施形態は、発明を実行し、使用する具体的な方式の単なる例示であり、発明の範囲を制限するものではない。
【００２０】
本発明は、具体的な状況、すなわち、３ＧＰＰ  ＬＴＥ準拠通信システムにおける実施形態例に関して記載される。しかし、本発明は、性能を改善するために、ＷｉＭＡＸ、ＩＥＥＥ  ８０２．１６のような他の通信システム、及びＣｏＭＰ動作を利用する他の通信システムにも適用されてもよい。
【００２１】
３ＧＰＰ  ＬＴＥ準拠通信システムでは、無線フレーム構造が時間単位に関して表現され、ここで、時間単位Ｔｓ＝１／（１５０００×２０４８）秒である。ＤＬ送信及びＵＬ送信は、Ｔｆ＝３０７２００×Ｔｓ＝１０ｍｓ持続時間の無線フレームに編成され得る。２つの異なる無線フレーム構造がサポートされている。
【００２２】
図１ａは、Ｔｙｐｅ  １フレーム構造１００を示す。Ｔｙｐｅ  １フレーム構造１００は、全二重及び半二重の両方の周波数分割複信（Frequency Division Duplexing）（ＦＤＤ）動作に適用され得る。Ｔｙｐｅ  １フレーム構造１００は、長さＴｆ＝３０７２００・Ｔｓ＝１０ｍｓであり、０から１９までの番号が付けられ、各々の長さがＴｓｌｏｔ＝１５３６０・Ｔｓ＝０．５ｍｓであるスロット２０個で構成されている。サブフレームは、２個の連続スロットとして定義され、サブフレームｉは、スロット２ｉ及び２ｉ＋１で構成されている。
【００２３】
ＦＤＤ動作のため、各１０ｍｓ時間間隔中に、１０個のサブフレームがＤＬ送信のため利用可能であり、１０個のサブフレームがＵＬ送信のため利用可能である。ＵＬ送信及びＤＬ送信は、周波数ドメインにおいて分離されている。半複信ＦＤＤ動作では、ＵＥは、同時に送受信する可能性がないが、全複信ＦＤＤ動作では、このような制限がない。
【００２４】
図１ｂは、Ｔｙｐｅ  ２フレーム構造１５０を示す。Ｔｙｐｅ  ２フレーム構造１５０は、時分割複信（ＴＤＤ）動作に適用され得る。Ｔｙｐｅ  ２フレーム構造１５０は、２個の半フレームで構成され、各半フレームは、長さが３０７２０・Ｔｓ＝１ｍｓであるサブフレーム５個で構成されている。各サブフレームｉは、各サブフレームにおいて、長さがＴｓｌｏｔ＝１５３６０・Ｔｓ＝０．５ｍｓであり、２個のスロット２ｉ及び２ｉ＋１として定義される。
【００２５】
５ｍｓ及び１０ｍｓの両方のＤＬ対ＵＬスイッチポイント周期性を用いたＵＬ−ＤＬ構成がサポートされている。５ｍｓＤＬ対ＵＬスイッチポイント周期性の場合、特殊なサブフレームは、両方の半フレームにおいて、３つのフィールドＤｗＰＴＳ、ＧＰ、及びＵｐＰＴＳで構成されている。１０ｍｓのＤＬ対ＵＬスイッチポイント周期性の場合、特殊なサブフレームは、最初の半フレームだけに存在する。サブフレーム０、５、及びＤｗＰＴＳは、ＤＬ送信のため常に確保され、一方、ＵｐＰＴＳ、及び特殊なサブフレームの直後のサブフレームは、ＵＬ送信のため常に確保される。
【００２６】
図２は、３ＧＰＰ  ＬＴＥ準拠通信システムのためのＤＬ送信２００に対するフレーム構造を示す。周波数ドメインでは、図２に表された表現は、論理的であり、様々なブロックの周波数における実際の物理的位置を必ずしも表現しないことに注意を要する。ＤＬ送信２００は、制御領域２０５とデータ領域２１０とに分割され得る。制御領域２０５は、物理ダウンリンク制御チャネル（Physical Downlink Control Channel）（ＰＤＣＣＨ）のような制御チャネル、物理ハイブリッド型自動再送要求指示チャネル（Physical Hybrid Automatic Repeat Requested (ARQ) Indicator Channel）（ＰＨＩＣＨ）、物理制御フォーマット指示チャネル（Physical Control Format Indicator Channel）（ＰＣＦＩＣＨ）等を知らせるために使用され、データ領域２１０は、物理ダウンリンク共有チャネル（Physical Downlink Shared Channel）（ＰＤＳＣＨ）等を知らせるために使用され得る。３ＧＰＰ  ＬＴＥ技術標準によれば、制御領域２０５は、１個から３個の直交周波数分割多重（Orthogonal Frequency Division Multiplexed）（ＯＦＤＭ）シンボルで構成され、データ領域２１０は、ＤＬ送信２００において制御領域２０５の後に現れる。
【００２７】
ＰＤＣＣＨ  ２１５のような制御領域２０５内のＰＤＣＣＨは、データ領域２１０内に位置すると共に、ネットワークリソース、フォーマット等が割り当てられたＰＤＳＣＨ  １２０のような対応するＰＤＳＣＨの指示として、主に使用され得る。その結果、ＵＥは、（複数の）ＰＤＣＣＨを最初に検出し、対応する（複数の）ＰＤＳＣＨを次に取得する必要がある。複数のＰＤＣＣＨは、制御領域２０５の内部で多重化され得る。一般に、ＵＥは、ＰＤＣＣＨを見つけるまで、又は、ＰＤＣＣＨを見つけることなく検索空間を検索し終えるまで、例えば、ブラインド検出技術を使用して、制御領域２０５の内部の検索空間内でＰＤＣＣＨを検索してもよい。ＵＥが検索空間を検索し終え、ＰＤＣＣＨを見つけない場合、ＵＥを対象にするＰＤＣＣＨがＤＬ送信２００の内に存在しない。
【００２８】
図３は、ｅＮＢから中継ノード（ＲＮ）までのＤＬリンク３００送信のためのフレーム構造を示す。ＤＬリンク３００は、制御領域３０５とデータ領域３０７とを含む。周波数ドメインでは、図３に表された表現は、論理的であり、様々なブロックの周波数における実際の物理的位置を必ずしも表現していないことに注意を要する。制御領域３０５は、ｅＮＢ  ＰＤＣＣＨと称されているが、制御領域３０５は、他のタイプの制御チャネル又は信号を収容し得る。他のタイプの制御チャネルは、ＰＣＦＩＣＨ、ＰＨＩＣＨ等を含み、他のタイプの信号は、基準信号を含み得る。同様に、簡単にするために、データ領域３０７は、ＰＤＳＣＨ  ３０８と共に表されている。ＤＬリンク３００もまた、ＤＬ中継バックホールリンクであるので、ＤＬリンク３００は、中継物理ダウンリンク制御チャネル（Relay-Physical Downlink Control Channel）（Ｒ−ＰＤＣＣＨ）３０９のようなＤＬ中継バックホールリンクとして用いるための専用の何らかのリソース要素を含む。３ＧＰＰ  ＬＴＥリリース１０では、Ｒ−ＰＤＣＣＨは、ｅＮＢとＲＮとの間のバックホールリンク上での送信をスケジュールするためにｅＮＢ（具体的には、ドナーｅＮＢ）によって使用され得る。いくつかのタイプのチャネルを収容するデータ領域３０７が表されているが、このデータ領域は、他のチャネル及び／又は信号もまた、収容し得る。他のタイプの信号は、基準信号を含み得る。
【００２９】
ＤＬリンク３００では、ＲＮは、Ｒ−ＰＤＣＣＨの正確な位置が分からない。ＲＮに分かっていることは、Ｒ−ＰＤＣＣＨが、一般にＲ−ＰＤＣＣＨ検索空間（実施例では、図３において検索空間３１５として表されている）と称される既知のリソースブロック（ＲＢ）の集合の中に位置していることだけである。Ｒ−ＰＤＣＣＨ検索空間は、制御領域２０５の後に続き、データ領域３０７において１個又は数個のＯＦＤＭシンボルの副搬送波の集合を占有する。検索空間３１５は、周波数位置によって指定され得る。
【００３０】
ＲＮに対するＲ−ＰＤＣＣＨ  ３０９（存在する場合）は、ＲＮの検索空間３１５に位置している。検索空間３１５は、仮想システム帯域幅と称され、これは、一般に、潜在的なＲ−ＰＤＣＣＨ送信のため準静的に（semi-statically）構成される可能性があるリソースブロックの集合であると考えられる。換言すると、リソースブロックの集合の時間ドメイン及び／又は周波数ドメイン・パラメータは、準静的に構成され得る。制御領域３０５におけるＰＤＣＣＨと同様に、Ｒ−ＰＤＣＣＨ  ３０９は、ＤＬ送信及びＵＬ送信をサポートするために情報を提供する。Ｒ−ＰＤＣＣＨ  ３０９は、リソース割り当て、変調及び符号化システム（modulation and coding system）（ＭＣＳ）、ハイブリッド型自動再送要求（Hybrid Automatic Repeat Request）（ＨＡＲＱ）情報等のような情報を含み得る。すなわち、Ｒ−ＰＤＣＣＨ  ３０９は、ＵｎＰＤＳＣＨとしても知られている物理ダウンリンク共有チャネル（Physical Downlink Shared Channel）（ＰＤＳＣＨ）を検出及び復号化する情報と、物理アップリンク共有チャネル（Physical Uplink Shared Channel）（ＰＵＳＣＨ）を符号化及び送信する情報とを収容している。
【００３１】
Ｒ−ＰＤＣＣＨは、ＰＤＳＣＨ等のようなデータチャネル、時分割多重化（ＴＤＭ）、周波数分割多重化（ＦＤＭ）、又はこれらの組み合わせと多重化され得る。
【００３２】
Ｒ−ＰＤＣＣＨ、対応するＰＤＳＣＨ、及び／又は、対応するＰＵＳＣＨとの間の関係は、リソース占有スタイルが異なることを例外として、ＰＤＣＣＨとＰＤＳＣＨ及び／又はＰＵＳＣＨとの間の関係に類似している。Ｒ−ＰＤＣＣＨとＰＤＳＣＨとは、タイムスロットの内部でＦＤＭ多重化される。周波数ドメインでは、ＲＢの集合は、潜在的なＲ−ＰＤＣＣＨ送信のために準静的に構成され、この集合から部分集合が、各Ｒ−ＰＤＣＣＨに対して割り当てられ得る。
【００３３】
概して、ｅＮＢ、ＲＮ、低電力ノード（ＬＰＮ）等は、通信コントローラと称される。典型的に、通信コントローラは、利用を増加させ、干渉を軽減させる等のために、ある程度の数のセクタにセクタ化され、各セクタがセルと称される。リモート無線ヘッド（remote radio head）（ＲＲＨ）は、前述の通信コントローラによって制御され、コントローラの位置とは異なるカバレッジエリアを形成し得る。一般性を失うことなく、本明細書で使用されるように、セルは、通信コントローラのカバレッジエリアの一部、又は、通信コントローラのカバレッジエリア全体を指す。各セルは、チャネルのスクランブリング・シーケンス、ＣＲＳの物理的位置等を決定する当該セルの自身のセル識別子を有し得る。
【００３４】
図４ａは、通信機器間のＤＬ  ＣｏＭＰ送信が強調された通信システム４００の一部分を示す。通信システムは、ある程度の数のＵＥと通信する能力を備える複数のセルを用いてもよいと理解されるが、簡単にするために、３個のセルだけが示される。通信システム４００は、第１のセル４０５と、第２のセル４１０と、第３のセル４１５と、ＵＥ  ４２０とを含む。第１のセル４０５と、第２のセル４１０と、第３のセル４１５と、ＵＥ  ４２０とは、ＤＬ  ＣｏＭＰ送信に関与している。第１のセル４０５と、第２のセル４１０と、第３のセル４１５とは、異なる通信コントローラからもたらされ、又は、単一の通信コントローラからもたらされ得る。
【００３５】
典型的に、ＤＬ  ＣｏＭＰ動作中に、ＵＥは、２個以上のセルからの送信を受信し、これらのセルは、マクロセル、ピコセル若しくはフェムトセルのようなＬＰＮ、中継器、リモート無線ヘッド（ＲＲＨ）、又はこれらの組み合わせでもよい。その結果、３個のセルからの送信を受信するＵＥ  ４２０の記載は、実施形態例の範囲又は趣旨を限定するものとして解釈されるべきではない。
【００３６】
概して、ＣｏＭＰ動作中に、サービングセルとしての機能を果たし得る１つのセルが存在し得る。サービングセルは、プライマリセル又はプライマリセルとして称されることもある。サービングセルは、（ハンドオーバー制御のような）ＵＥモビリティ制御、暗号鍵生成、無線リンク故障報告等を実行し得る。ＣｏＭＰ動作に関与するセルは、協調セル（cooperating cells）と称されることもある。サービングセル及び他の協調セルは、マクロセル、（ピコセル及び／又はフェムトセルのような）低電力ノード、中継器、リモート無線ヘッド、又はこれらの組み合わせでもよい。
【００３７】
図４ａに表されるように、第１のセル４０５と、第２のセル４１０と、第３のセル４１５とは、制御及び／又はデータをＵＥ  ４２０に送信し得る。ＵＥ  ４２０は、データレートを改善し、信頼性を増し、誤り率をより低くすること等を達成するために、第１のセル４０５、第２のセル４１０、及び第３のセル４１５からの送信を処理するように、ＣｏＭＰジョイント処理を利用し得る。
【００３８】
図４ｂは、通信機器間のＵＬ  ＣｏＭＰ送信が強調された通信システム４５０の一部分を示す。通信システムは、ある程度の数のＵＥと通信する能力がある複数のセルを用いてもよいと理解されるが、簡単にするために、３個のセル及び１個のＵＥだけが示される。通信システム４５０は、第１のセル４５５と、第２のセル４６０と、第３のセル４６５と、ＵＥ  ４７０とを含む。第１のセル４５５と、第２のセル４６０と、第３のセル４６５と、ＵＥ  ４７０とは、ＵＬ  ＣｏＭＰ送信に関与している。第１のセル４５５と、第２のセル４６０と、第３のセル４６５とは、異なる通信コントローラからもたらされ、又は、単一の通信コントローラからもたらされ得る。
【００３９】
図４ｂに表されるように、ＵＥ  ４７０は、制御及び／又はデータを第１のセル４５５、第２のセル４６０、及び第３のセル４６５に送信し得る。第１のセル４５５及び第３のセル４６５は、ＵＥ  ４７０からの送信を第２のセル４６０に転送し得る。第１のセル４５５と、第２のセル４６０と、第３のセル４６５とは、データレートを改善し、信頼性を増し、誤り率をより低くくすること等を達成するために、ＵＥ  ４７０からの送信を共同で処理し得る。第２のセル４６０のようなサービングセルは、第１のセル及び第３のセル４６５から第２のセル４６０への送信を協調し得る。
【００４０】
典型的に、ＵＬ  ＣｏＭＰ動作中に、セルは、ＵＥ、他のマクロセル、ピコセル若しくはフェムトセルのような他の低電力ノード（ＬＰＮ）、中継器、リモート無線ヘッド（ＲＲＨ）、又はこれらの組み合わせでもよい２つ以上の送信元からの送信を受信し得る。そのため、２つのセル及びＵＥからの送信を受信する第２のセル４６０の記載は、実施形態例の範囲又は趣旨を限定するものとして解釈されるべきではない。
【００４１】
一般に、ＵＥがＣｏＭＰ動作、例えば、（動的セル選択モード又はジョイント送信モードのいずれかで）ジョイント処理に関与しているとき、ＵＥは、受信又は送信する前に制御チャネルから制御情報を取得する必要がある。
【００４２】
３ＧＰＰ  ＬＴＥ準拠通信システムでは、セル固有基準シーケンスは、複素数値変調シンボル（complex-valued modulation symbols）にマッピングされ、スロットｎｓ内のアンテナポートｐのための基準シンボルとして使用され得る。スロット内のいずれかのアンテナポート上で基準信号の送信のために使用されたリソース要素（ｋ，ｌ）は、同じスロット内のいずれかの他のアンテナポート上での送信のために使用されることがなく、０に設定され得る。マルチ・メディア・ブロードキャスト単一周波数ネットワーク（Multi-Media Broadcast over a Single Frequency Network）（ＭＢＳＦＮ）サブフレームの範囲内で、セル固有基準信号（cell-specific reference signals）（ＣＲＳ）は、ＭＢＳＦＮサブフレームの非ＭＢＳＦＮ領域だけで送信され得る。
【００４３】
図５ａから図５ｇは、標準巡回プレフィックスを用いた通信システムにおいて基準信号送信のため使用されたリソース要素を示す。図５ａから図５ｇに表されるように、Ｒｐは、１−、２−、及び４−アンテナポート状況に対して、アンテナポートｐ上で基準信号の送信のために使用されたリソース要素を表すために使用される。更に、クロスハッチ付きのボックスは、基準信号の送信又はデータ送信のいずれかのためには使用されないヌルであるリソース要素を指示する。図５ａから図５ｇは、周波数ドメインにおけるセル固有シフトを更に示し、周波数ドメインにおけるこのセル固有シフトは、セルＩＤのようなセルの識別子によって決定される。
【００４４】
図６ａから図６ｇは、拡張巡回プレフィックスを用いた通信システムにおいて基準信号の送信のために使用されたリソース要素を示す。図６ａから図６ｇに表されるように、Ｒｐは、１−、２−、及び４−アンテナポート構成に対して、アンテナポートｐ上で基準信号の送信のために使用されたリソース要素を表すために使用される。更に、クロスハッチ付きのボックスは、基準信号の送信又はデータ送信のいずれかのために使用されないヌルであるリリソース要素を指示する。
【００４５】
物理チャネルの送信のために使用されたアンテナポートの１つずつに対して、複素数値シンボルのブロックは、以下の規準：
−  リソース要素が、送信のために割り当てられた仮想リソースブロックに対応する物理リソースブロックであること、
−  リソース要素が、ＰＢＣＨ、同期信号、ＣＲＳ、ＭＢＳＦＮ基準信号、又はＵＥ固有基準信号の送信のために使用されないこと、
−  リソース要素が、ＰＤＣＣＨのために使用されたＯＦＤＭシンボルに存在しないこと、
を満たすリソース要素に順々にマッピングされ得る。
【００４６】
他の目的のために確保されていないアンテナポートｐ上のリソース要素へのマッピングは、サブフレーム内の最初のスロットから始まり、割り当てられた物理リソースブロックの全体にわたり、最初のインデックスｋ、次にインデックスｌの昇順である。
【００４７】
図７は、ターボ符号化転送チャネルのためのレート・マッチング・ユニット７００を示す。レート・マッチング・ユニット７００のビット選択及び切詰め（pruning）ユニット７０５は、正確な出力サイズを決定するために、利用可能なリソース要素の正確な個数がパラメータとして必要とされる。
【００４８】
ＵＥがＣｏＭＰジョイント処理モードにあるときに、複数のセル（ｅＮＢ、ＲＮ、ＲＲＨ等）が信号をこのＵＥに同時に送信するとき、関与したセルの全部は、これら自身のＣＲＳを有し、異なるセルの基準信号は、図５ａから図５ｇ及び図６ａから図６ｇにおいて記載されているように（位置が、セルＩＤのようなセルの識別子に依存している）異なるリソース要素を占有し得る。
【００４９】
データシンボルをリソース要素にマッピングする簡単な手法は、全部のセルのＣＲＳに対応するこれらのリソース要素を除外しながら、データシンボルをリソース要素にマッピングすることである。しかし、このようにすることにより、リソース要素は、特に異なるセルが異なるデータストリームを送信しているときに、無駄遣いされ得る。
【００５０】
図５ｂから図５ｇ及び図６ｂから図６ｇにおいて分かるように、ある一定の数のリソース要素が基準信号の送信のために使用される。一例として、基準信号オーバーヘッドのパーセンテージは、標準巡回プレフィックスの場合、１−、２−、及び４−アンテナポート構成に対して１／２１、２／２１、及び３／２１である。次に、Ｎセル共同送信では、データシンボルを搬送するために他のセルのＣＲＳに対応するリソース要素を利用することにより、かなりの量のリソース要素が節約される。
【００５１】
ＣＲＳに対応するリソース要素を除外する簡単な手法では、セルは、自身のＣＲＳを搬送するリソース要素だけをスキップし、残りのリソース要素にデータシンボルをマッピングすることができるが、残りのリソース要素の一部は、他のセルのＣＲＳに対応してもよい。そのため、復号化性能は、悪影響を受けるが、幾らかのリソース要素オーバーヘッドは節約される。
【００５２】
そのため、ＵＥは、あるときは、送信を行うセル以外の１つ又は複数のセルの（ＣＲＳ、Ｐ−ＢＣＨ、ＳＣＨ等のような）指定された信号に対応するリソース要素を含まないより少ないリソース要素に、データシンボルがマッピングされ得ることを知る必要がある。ＵＥは、更に、あるときは、セルが送信を行うリソース要素を含まないより多くのリソース要素に、データシンボルがマッピングされ得ることを知る必要がある。換言すると、ＵＥは、どのリソース要素が特殊な処理を必要とするかを知る必要がある。ＵＥは、どのリソース要素が特殊な処理を必要とするかを知るために情報（又は、情報の指示）を受信し得る。
【００５３】
データシンボルを搬送するために他の（複数の）セルのＣＲＳを搬送する他の（複数の）セルからの送信のリソース要素に対応するリソース要素を使用することを中心に扱っているが、実施形態例は、物理ブロードキャストチャネル（Physical Broadcast Channel）（ＢＣＨ）、他の（複数の）セルの同期チャネル（Sync Channel）（ＳＣＨ）等を搬送する他の（複数の）セルからの送信のリソース要素に対応するリソース要素を使用するために使用される。データシンボルの搬送に加えて、リソース要素は、データシンボルを全く搬送しない（例えば、ヌルシンボルを搬送する）ために使用され、データシンボルを搬送する残りのリソース要素とは異なる送信方法を使用して、例えば、異なるプリコーディング・マトリクス及び／又はベクトル（すなわち、プリコーディング情報）を用いてデータシンボルを搬送するために使用され、送信を行うセルの基準信号とは異なる基準信号に基づいてデータシンボルを搬送するために使用され得る。そのため、ＣＲＳ、データ送信（例えば、データシンボル）のためリソース要素を使用することの記載は、実施形態例の範囲又は趣旨を限定するものとして解釈されるべきではない。
【００５４】
更に、データシンボルを搬送するために、データシンボルを全く搬送しない（例えば、ヌルシンボルを搬送する）ために、（異なるプリコーディング・マトリクス、及び／又はベクトル（若しくは、異なるプリコーディング情報）のような）異なる送信方法を使ってデータシンボルを搬送するために、異なる基準信号に基づいてデータシンボルを搬送するために、他の（複数の）セル又は（ＣＲＳ、Ｐ−ＢＣＨ、ＳＣＨ等のような）指定された信号を搬送する他の（複数の）セルからの送信のリソース要素に対応するリソース要素を使用することを中心に扱っている。そのため、データシンボルの記載は、実施形態例の範囲又は趣旨を限定するものとして解釈されるべきではない。
【００５５】
図８は、時間−周波数リソースの説明図８００を示す。説明図８００は、時間−周波数リソースの２つのグループ、第１のグループ８０５及び第２のグループ８１０を示す。第１のグループ８０５は、第１のセル（例えば、セル１）の時間−周波数リソースを表現し、第２のグループ８１０は、第２のセル（例えば、セル２）の時間−周波数リソースを表現し得る。図８においては、周波数の中で論理的に分離されているように表されているが、図８は、第１のグループ８０５及び第２のグループ８１０における時間−周波数リソースの実際の物理的位置を表現しない。一例として、第１のグループ８０５及び第２のグループ８１０は、周波数帯域を共有し得るが、異なる地理的位置に配備され得る。
【００５６】
図８は、２つのセルに関連付けられた時間−周波数リソースの２つのグループを示すが、概して、本明細書に記載された手法は、如何なる数のセルにも関連付けられる如何なる数の時間−周波数リソースのグループにも適用され得る。そのため、時間−周波数リソースの２つのグループ、２つのセルの記載は、実施形態の範囲又は趣旨を限定するものとして解釈されるべきではない。
【００５７】
ブロック８１５及びブロック８２０のような陰影無しのブロックは、セルの現実ＣＲＳに対するリソース要素を表現し、ブロック８１５は、第１のセルの現実ＣＲＳに対するリソース要素を表現し、ブロック８２０は、第２のセルの現実ＣＲＳに対するリソース要素を表現している。
【００５８】
ブロック８２５及びブロック８３０のようなクロスハッチ付きのブロックは、他のセルのＣＲＳに対応するリソース要素を表現し、ブロック８２５は、第２のセルのＣＲＳに対応するリソース要素を表現し、ブロック８３０は、第１のセルのＣＲＳに対応するリソース要素を表現している。典型的に、他のセル（例えば、クロスハッチ付きのブロック）のＣＲＳを搬送するリソース要素に対応するリソース要素は、データシンボルを搬送するためには使用されない。
【００５９】
複数のセル（本状況では、第１のセル及び第２のセル）の中の全セルが単一のＵＥに送信している場合、複数のセルの中のいずれのセルも、ＵＥのレシーバでの合成及び復号化性能を保証するために、データシンボルをリソース要素にマッピングするとき、複数のセルの中の他のセルの送信においてＣＲＳを搬送するために使用されたリソース要素に対応する全リソース要素をスキップし得る。図８に表されたブロック、すなわち、ブロック８１５から８３０のいずれもが、いずれのセルでも、データをＵＥに送信するために使用されない。
【００６０】
しかし、複数のセルの中の異なるセルが、異なるデータストリームを（シングルユーザＭＩＭＯ（ＳＵ−ＭＩＭＯ）の場合のように）単一のＵＥに又は（ＭＵ−ＭＩＭＯの場合のように）複数のＵＥに送信している場合、ＳＵ−ＭＩＭＯ又はＭＵ−ＭＩＭＯに関与しているセルの中のいずれのセルも、データ送信の目的のため、より多くのＲＥを取得するために、データシンボルをリソース要素にマッピングするとき、このセル自身のＣＲＳに対応するリソース要素だけをスキップできる。図８に表されるように、クロスハッチ付きのブロック（例えば、ブロック８２５及びブロック８３０）は、ブロック８１５及び８２０に対応し、いずれかのセルにおいて、データをＵＥに送信するために使用される。
【００６１】
（データシンボル、全くデータシンボル無し（例えば、ヌルシンボル）、データシンボルを搬送する残りのリソース要素とは異なる送信方法を使用して、例えば、異なるプレコーディング・マトリクス及び／又はベクトル（すなわち、プレコーディング情報）を用いるデータシンボル、送信を行うセルの基準信号とは異なる基準信号に基づくデータシンボル等のような）シンボルを搬送するために、他の（複数の）セルの（ＣＲＳ、Ｐ−ＢＣＨ、ＳＣＨ等のような）指定された信号を搬送する他の（複数の）セルからの送信のリソース要素に対応するリソース要素を使用するために、ＵＥは、（複数の）リソース要素がシンボルを搬送していることを通知され得る。複数のＵＥへの通知は、ＵＥが受信信号を検出したときに、データシンボルを適切に検出するために情報を必要とするので、重要である。
【００６２】
図９ａは、１台以上の通信機器への送信時のセル動作９００のフローチャートを示す。セル動作９００は、セルが通信機器に送信するときに、セル内で行われる動作を表し得る。セルは、制御情報、データ、又はこれらの組み合わせを通信機器に送信し得る。セル動作９００は、セルが標準動作モードにある間に行われ得る。
【００６３】
セル動作９００は、セルが制御チャネルを、ネットワークリソース、変調及び符号化スキーム等のような（ブロック９０５において）セルによってスケジュールされた送信に関連する情報と共に、（複数の）通信機器に送信することから、開始し得る。
【００６４】
セルは、（複数の）通信機器に送信されるリソース要素利用情報（又は、これの指示）を生成し、この情報又は指示は、ａ）他のセルによって行われた送信において、ＣＲＳ、Ｐ−ＢＣＨ、ＳＣＨ等のような指定された信号を搬送するために使用されたリソース要素に対応するリソース要素が、シンボル（又は他の情報）送信を目的としていること、ｂ）他のセルによって行われた送信において、ＣＲＳ、Ｐ−ＢＣＨ、ＳＣＨ等のような指定された信号を搬送するために使用されたリソース要素に対応するリソース要素が、シンボル送信を目的としていないこと、又はｃ）これらの組み合わせに関する（ブロック９１０）。
【００６５】
一例として、シングルビット指示が使用され得る。指示に第１の値が設定された場合、他のセルによって行われた送信において、指定された信号を搬送するために使用されたリソース要素に対応するリソース要素が、シンボル送信のために使用され、指示に第２の値が設定された場合、他のセルによって行われた送信において、指定されたシンボルを搬送するために使用されたリソ−ス要素に対応するリソース要素は、シンボル送信のため使用されない。
【００６６】
一例として、マルチビット指示は、他のセルによって行われた送信において、指定された信号を搬送するために使用されたリソース要素に対応するリソース要素の部分集合が、シンボル送信のために使用されるか又は使用されないかに関する情報を提供するために、使用され得る。
【００６７】
一例として、他のセルによって行われた送信において、指定された信号を搬送するために使用されたリソース要素に対応するＮ個のリソース要素が存在する場合、且つ、セル決定に起因して、リソース要素のうちのＭ個がシンボルを搬送するために使用される場合（ここで、Ｎ及びＭは整数値であり、ＭはＮ以下である）、この指示は、Ｍ個のリソース要素が、シンボルを搬送するために使用されることを指示し、この指示は、Ｎ−Ｍ個のソース要素が、シンボルを搬送するためには使用されないことを指示し、又は、これらの組み合わせを指示してもよい。
【００６８】
実施形態例によれば、リソース要素のマッピングに関する情報は、通信機器に明示的に通知される。一例として、新しいフィールドが、リソース要素のマッピングを通信機器に伝達するために、定義される。代替的に、既存の１つ又は複数のフィールドは、何らかの環境下でリソース要素のマッピングを通信機器に伝達するために使用されてもよい。代替的に、既存のフィールド又は既存の複数のフィールドの利用可能な状態は、リソース要素のマッピングを通信機器に伝達するために使用されてもよい。
【００６９】
実施形態例によれば、リソース要素のマッピングに関する情報は、通信機器に暗黙的に通知され得る。一例として、情報は、何らかの他の情報、例えば、送信モード、新たに定義されたＣｏＭＰモード等と組み合わされ得る。一例として送信モードを検討する。送信モードが、通信機器に対するＸ（予め定義された送信モードである）に等しいとき、通信機器は、予め定義された（複数の）セルの（ＣＲＳ、Ｐ−ＢＣＨ、ＳＣＨ等のような）指定された信号に対応するリソース要素が除外（又は包含）されることが分かり、それに応じて検出を実行してもよい。
【００７０】
実施形態例によれば、情報は、動的に指示されてもよい。一例として、リソース要素のマッピングに関係している情報は、物理層チャネル、例えば、ＰＤＣＣＨ、Ｒ−ＰＤＣＣＨ、Ｒ−ＰＤＣＣＨのようなチャネル等によって指示されてもよい。
【００７１】
実施形態例によれば、情報は、準静的に指示されてもよい。一例として、要素のマッピングに関係している情報は、無線リソース制御（ＲＲＣ）シグナリングのような上位層シグナリングを介して指示されてもよい。
【００７２】
セルは、その後、指示を（複数の）通信機器に送信し得る（ブロック９１５）。実施形態例によれば、この指示は、スケジューリング・メッセージの形式でＵＥに送信され得る。別の実施形態例によれば、上位層シグナリング及びスケジューリング・メッセージは、指示をＵＥに送出するために、共同で使用され得る。ＲＲＣシグナリングのような上位層シグナリングは、指示の考えられる組み合わせを構成し、スケジューリング・メッセージは、組み合わせの１つをＵＥに指示する。
【００７３】
セルは、（複数の）通信機器に送信している送信されるべきデータ中のデータシンボルをリソース要素にマッピングし、ここで、マッピングは、リソース要素利用情報に基づいている（ブロック９２０）。実施形態例によれば、データシンボルのマッピングは、データシンボルの一部を他の（複数の）セルによって行われた送信において、ＣＲＳ、Ｐ−ＢＣＨ、ＳＣＨ等のような指定された信号を搬送するために使用されたリソース要素に対応するいくつかのリソース要素にマッピングすることを含み得る。他の（複数の）セルによって行われた送信において指定された信号を搬送するために使用されたリソース要素に対応するリソース要素の使用は、送信のタイプに依存し得る。実施形態例によれば、セルは、送信されるデータからのデータシンボルを、他の（複数の）セルによって行われた送信において、ＣＲＳ、Ｐ−ＢＣＨ、ＳＣＨ等のような指定された信号を搬送するために使用されたリソース要素に対応するリソース要素にマッピングすることができる。しかし、セルは、自身のＣＲＳを搬送するために標準的に使用されたリソース要素をスキップし続ける。
【００７４】
一例として、３個のセルが、ＣｏＭＰジョイント処理モードにおいて少なくとも２つのデータストリームを通信機器に送信している場合、セル（例えば、サービング・セル）は、（複数の）データストリームからのデータシンボルを、他の２個のセルによって行われた送信において、ＣＲＳ、Ｐ−ＢＣＨ、ＳＣＨ等のような指定された信号を搬送するために使用されたリソース要素に対応するリソース要素にマッピングし得る。
【００７５】
セルは、送信を（複数の）通信機器に送信し得る（ブロック９２５）。
【００７６】
図９ｂは、ｅＮＢ、ＲＮ、セル、ＲＲＨ等のような１個以上のセルからの送信を受信するときの通信機器動作９５０のフローチャートを示す。通信機器動作９５０は、通信機器が１個以上のセルからの送信を受信するので、ＵＥのような通信機器で行われる動作を表し得る。通信機器動作９５０は、通信機器が標準動作モードにある間に行われ得る。
【００７７】
通信機器動作９５０は、通信機器が１個以上のセルのうちの少なくとも１つからの送信に関係している情報を受信することから開始され得る（ブロック９５５）。実施形態例によれば、情報は、ネットワークリソース、変調及び符号化スキーム等を含む通信機器への送信に関し得る。
【００７８】
通信機器は、１個以上のセルのうちの少なくとも１つから、少なくとも１つのリソース要素利用情報（又は、これの指示）を受信し得る（ブロック９６０）。情報又は指示は、ａ）他のセルによって行われた送信において、ＣＲＳ、Ｐ−ＢＣＨ、ＳＣＨ等のような指定された信号を搬送するために使用されたリソース要素に対応するリソース要素が、シンボル（又は他の情報）送信を目的としていること、ｂ）他のセルによって行われた送信において、ＣＲＳ、Ｐ−ＢＣＨ、ＳＣＨ等のような指定された信号を搬送するために使用されたリソース要素に対応するリソース要素が、シンボル送信を目的としていないこと、又はｃ）指示を送信した（複数の）セルによって送信されたリソース要素に対して、これらの組み合わせに関し得る。
【００７９】
前述のように、指示は、リソース要素を明示的又は暗黙的に指示することがある。更に、この情報は、動的に又は準静的に指示されてもよい。
【００８０】
通信機器は、（複数の）送信許可によって指定されたネットワークリソースで送信を検出し得る（ブロック９６５）。
【００８１】
送信は、情報又は指示に基づいて復号化され得る（ブロック９７０）。一例として、指示が、ネットワークリソースがＣＲＳを搬送することを指示する場合、通信機器は、ネットワークリソースを検出することを試みなくてもよい。しかし、指示が、ネットワークリソースはデータシンボルを搬送することを指示する場合、通信機器は、ネットワークリソースを検出することを試みてもよい。
【００８２】
通信機器は、その後、受信した送信を処理し得る（ブロック９７５）。実施形態例によれば、受信した送信を処理することは、受信した送信におけるデータをプロセッサで処理すること、受信した送信におけるデータを何らかの形式のメモリに記憶すること、受信した送信におけるデータをディスプレイ機器に表示すること等を含み得る。
【００８３】
機能的ステップ及び／又は非機能的作用は、図９ａ及び図９ｂに示され、特有の順序で前述されているが、本発明は、ステップ及び／又は作用の何らかの特有の順序付け又は組み合わせに必ずしも限定されない。
【００８４】
図１０は、通信機器１０００の代替的な例示を提供する。通信機器１０００は、ｅＮＢのセル、ＲＮのセル等のようなセルの実施でもよい。通信機器１０００は、本明細書において記載された実施形態のうちの様々な実施形態を実施するために使用されてもよい。図１０に表されているように、トランスミッタ１００５は、情報及び指示を送信するよう構成されている。通信機器１０００は、情報を受信するよう構成されているレシーバ１０１０を更に含む。
【００８５】
マッパー１０２０は、通信機器の決定、リソース機器の利用情報、及び／又はリソース要素に基づいて、シンボルをリソース要素にマッピングするよう構成されている。例えば、マッパー１０２０は、データシンボルを、他のセルによって行われた送信において、ＣＲＳ、Ｐ−ＢＣＨ、ＳＣＨ等のような指定された信号を搬送するために使用されたリソース要素に対応するリソース要素にマッピングし、又は、マッパー１０２０は、他のセルによって行われた送信において、ＣＲＳ、Ｐ−ＢＣＨ、ＳＣＨ等のような指定された信号を搬送するために使用されたリソース要素に対応するリソース要素をスキップしてもよい。情報ジェネレータ１０２２は、他のセルによって行われた送信において、ＣＲＳ、Ｐ−ＢＣＨ、ＳＣＨ等のような指定された信号を搬送するために使用されたリソース要素に対応するリソース要素に対するリソース要素利用情報を生成するよう構成されている。指示ジェネレータ１０２４は、ａ）他のセルによって行われた送信において、ＣＲＳ、Ｐ−ＢＣＨ、ＳＣＨ等のような指定された信号を搬送するために使用されたリソース要素に対応するリソース要素が、シンボル（又は他の情報）送信を目的としていること、ｂ）他のセルによって行われた送信において、ＣＲＳ、Ｐ−ＢＣＨ、ＳＣＨ等のような指定された信号を搬送するために使用されたリソース要素に対応するリソース要素が、シンボル送信を目的としていないこと、又はｃ）これらの組み合わせに関する情報を指示するように、指示を生成するよう構成されている。メモリ１０３０は、指示、データシンボル等を記憶するよう構成されている。
【００８６】
通信機器１０００の要素は、具体的なハードウェア論理ブロックとして実施されてもよい。代替案では、通信機器１０００の要素は、プロセッサ、コントローラ、特定用途向け集積回路等で動くソフトウェアとして実施されてもよい。更に別の代替案では、通信機器１０００の要素は、ソフトウェア及び／又はハードウェアの組み合わせとして実施されてもよい。
【００８７】
一例として、レシーバ１０１０及びトランスミッタ１００５は、具体的なハードウェアブロックとして実施されてもよいが、一方、マッパー１０２０、情報ジェネレータ１０２２、及び指示ジェネレータ１０２４は、（プロセッサ１０１５のような）マイクロプロセッサで動くソフトウェアモジュール、又は、カスタム回路若しくはフィールド・プログラマブル・ロジック・アレイのカスタムコンパイル型ロジック・アレイでもよい。
【００８８】
図１１は、通信機器１１００の代替的な例示を提供する。通信機器１１００は、ｅＮＢ、ＲＮ等のような通信コントローラの実施でもよい。通信機器１１００は、本明細書に記載された実施形態のうちの様々な実施形態を実施するために使用されてもよい。図１１に表されるように、トランスミッタ１１０５は、情報を送信するよう構成され、レシーバ１１１０は、情報及び指示を受信するよう構成されている。
【００８９】
情報プロセッサ１１２０は、ａ）他のセルによって行われた送信において、ＣＲＳ、Ｐ−ＢＣＨ、ＳＣＨ等のような指定された信号を搬送するために使用されたリソース要素に対応するリソース要素が、シンボル（又は他の情報）送信を目的としていること、ｂ）他のセルによって行われた送信において、ＣＲＳ、Ｐ−ＢＣＨ、ＳＣＨ等のような指定された信号を搬送するために使用されたリソース要素に対応するリソース要素が、シンボル送信を目的としていないこと、又はｃ）これらの組み合わせに関するリソース要素利用情報（又はこれの指標）を処理するよう構成されている。情報プロセッサ１１２０は、指示内で搬送された情報を抽出する。デコーダ１１２２は、どのリソース要素を復号化するか否かを決定するために、指示によって指示された情報を利用して、受信した送信を復号化する。一例として、指示が、ネットワークリソースがＣＲＳを搬送することを指示する場合、通信機器は、ネットワークリソースを検出することを試みないことになる。しかし、指示が、ネットワークリソースがデータシンボルを搬送することを指示する場合、通信機器は、ネットワークリソースを検出することを試みることになる。
【００９０】
データプロセッサ１１２４は、受信した送信を処理するよう構成され、これは、受信した情報内のデータをプロセッサで処理すること、受信した送信内のデータを何らかの形式のメモリに記憶すること、受信した送信内のデータをディスプレイ機器に表示すること等を含んでもよい。メモリ１１３０は、指示、受信した送信等を記憶するよう構成されている。
【００９１】
通信機器１１００の要素は、具体的なハードウェア論理ブロックとして実施されてもよい。代替案では、通信機器１１００の要素は、プロセッサ、コントローラ、特定用途向け集積回路等で動くソフトウェアとして実施されてもよい。更に別の代替案では、通信機器１１００の要素は、ソフトウェア及び／又はハードウェアの組み合わせとして実施されてもよい。
【００９２】
一例として、レシーバ１１１０及びトランスミッタ１１０５は、具体的なハードウェアブロックとして実施されてもよいが、情報プロセッサ１１２０、デコーダ１１２２、及びデータプロセッサ１１２４は、（プロセッサ１１１５のような）マイクロプロセッサで動くソフトウェアモジュール、又は、カスタム回路若しくはフィールド・プログラマブル・ロジック・アレイのカスタムコンパイル型ロジック・アレイでもよい。
【００９３】
通信機器１０００及び通信機器１１００の前述の実施形態は、機能的ステップ及び／又は非機能的作用を備える方法の観点で更に示されてもよい。上記説明及び関連したフローチャートは、本発明の実施形態例を実施する際に実行され得るステップ及び／又は作用を示す。通常、機能的ステップは、達成される結果の観点で発明を記載するが、非機能的作用は、特有の結果を達成するより具体的な作用を記載する。機能的ステップ及び／又は非機能的作用は、特有の順序で記載され、又は、特許請求されるが、本発明は、ステップ及び／又は作用の何らかの特有の順序付け又は組み合わせに必ずしも限定されない。更に、請求項の記載、及び、図９ａ及び図９ｂに対する（複数の）フローチャートの説明におけるステップ及び／又は作用の使用（又は不使用）は、このような用語の望ましい具体的な使用（又は不使用）を指示するために使用される。
【００９４】
本発明及びこれの利点が詳細に記載されているが、様々な変更、置換及び変形が、添付の請求項によって定義されているような発明の趣旨及び範囲から逸脱することなく本明細書で行われる可能性があることは、理解されるべきである。
【００９５】
更に、本出願の範囲は、明細書に記載されたプロセス、機械、製造、組成物、手段、方法及びステップの特有の実施形態に限定されることは意図されていない。当業者は、本発明の開示から、現存しているか、又は、後に開発されることになり、本明細書に記載された対応する実施形態と実質的に同じ機能を実行するか又は実質的に同じ結果を達成するプロセス、機械、製造、組成物、手段、方法、又はステップが本発明によって利用されてもよいことを容易にわかるであろう。その結果、添付の請求項は、このようなプロセス、機械、製造、組成物、手段、方法、又はステップを請求項の範囲内に包含することが意図されている。
【００９６】
関連出願の相互参照
本出願は、Ｗｅｉｍｉｎ  Ｘｉａｏ他により２０１１年５月２日付けで出願された、“Ｓｙｓｔｅｍ  ａｎｄ  Ｍｅｔｈｏｄ  ｆｏｒ  Ｍａｐｐｉｎｇ  Ｄａｔａ  Ｓｙｓｔｅｍ”と題する米国非仮特許出願第１３／０９９，３１５号の優先権を主張し、この米国特許出願は、参照によりこれがそのまま再現されているかのようにここに組み込まれる。
【図１ａ】
0005723063.tif 000002
【図１ｂ】
0005723063.tif 000003
【図２】
0005723063.tif 000004
【図３】
0005723063.tif 000005
【図４ａ】
0005723063.tif 000006
【図４ｂ】
0005723063.tif 000007
【図５ａ】
0005723063.tif 000008
【図５ｂ】
0005723063.tif 000009
【図５ｃ】
0005723063.tif 000010
【図５ｄ】
0005723063.tif 000011
【図５ｅ】
0005723063.tif 000012
【図５ｆ】
0005723063.tif 000013
【図５ｇ】
0005723063.tif 000014
【図６ａ】
0005723063.tif 000015
【図６ｂ】
0005723063.tif 000016
【図６ｃ】
0005723063.tif 000017
【図６ｄ】
0005723063.tif 000018
【図６ｅ】
0005723063.tif 000019
【図６ｆ】
0005723063.tif 000020
【図６ｇ】
0005723063.tif 000021
【図７】
0005723063.tif 000022
【図８】
0005723063.tif 000023
【図９ａ】
0005723063.tif 000024
【図９ｂ】
0005723063.tif 000025
【図１０】
0005723063.tif 000026
【図１１】
0005723063.tif 000027